(57)【要約】      （修正有）【課題】心地良い芳香剤を製品の適用時、及び適用後に長時間送達することができる、エアロゾル化されたパーソナルケア組成物、及び水分起因性が改善された芳香剤放出システムを送達する方法の提供。【解決手段】環状オリゴ糖；芳香剤；揮発性溶剤；及び噴射剤、及び非揮発性溶剤を含み、環状オリゴ糖に対する非揮発性溶剤の重量比が、１：１未満である、エアロゾル化されたパーソナルケア組成物、及び芳香剤放出システムを送達する方法。【選択図】なし【特許請求の範囲】
【請求項１】
エアロゾル化された組成物であって、
ｉ）環状オリゴ糖、
ｉｉ）芳香剤、
ｉｉｉ）揮発性溶剤、
ｉｖ）噴射剤、及び
ｖ）非揮発性溶剤を含み、
前記環状オリゴ糖に対する前記非揮発性溶剤の重量比は、１：１未満である、エアロゾル化された組成物。
【請求項２】
水分起因性（moisture-triggerd）が改善された芳香剤放出システムを送達する方法であって、
好適な基材と、
ｉ）環状オリゴ糖、
ｉｉ）芳香剤、
ｉｉｉ）揮発性溶剤、
ｉｖ）噴射剤、及び
ｖ）非揮発性溶剤を含む、エアロゾル化された組成物とを接触させることを含み、
前記環状オリゴ糖に対する前記非揮発性溶剤の重量比は、１：１未満である、方法。
【請求項３】
前記エアロゾル化された組成物は、非揮発性溶剤を含まない、請求項１又は２に記載のエアロゾル化された組成物又は方法。
【請求項４】
前記環状オリゴ糖に対する前記非揮発性溶剤の重量比は、１：２未満、より好ましくは１：１０未満である、請求項３に記載のエアロゾル化された組成物又は方法。
【請求項５】
前記非揮発性溶剤は、ベンジルベンゾエート、ジエチルフタレート、トリエチルシトレート、プロピレングリコール、イソプロピルミリステート、ジプロピレングリコール、及びこれらの混合物からなる群から選択される、請求項３又は４に記載のエアロゾル化された組成物又は方法。
【請求項６】
前記環状オリゴ糖は、前記エアロゾル化された組成物の０．７５重量％〜５重量％を占める、請求項１〜５のいずれか一項に記載のエアロゾル化された組成物又は方法。
【請求項７】
前記環状オリゴ糖は、６、７、又は８つの糖単位を含む、請求項１〜６のいずれか一項に記載のエアロゾル化された組成物又は方法。
【請求項８】
前記環状オリゴ糖は、ヒドロキシプロピル−α−シクロデキストリン、ヒドロキシルプロピル−β−シクロデキストリン、メチル−α−シクロデキストリン、メチル−β−シクロデキストリン、及びこれらの混合物からなる群から選択される、請求項１〜７のいずれか一項に記載のエアロゾル化された組成物又は方法。
【請求項９】
前記エアロゾル化された組成物は、抗菌剤を更に含む、請求項１〜８のいずれか一項に記載のエアロゾル化された組成物又は方法。
【請求項１０】
前記揮発性溶剤は、エタノールを含む、請求項１〜９のいずれか一項に記載のエアロゾル化された組成物又は方法。
【請求項１１】
前記エアロゾル化された組成物は、水を更に含む、請求項１〜１０のいずれか一項に記載のエアロゾル化された組成物又は方法。
【請求項１２】
前記エアロゾル化された組成物は、制汗活性物質を含まない、請求項１〜１１のいずれか一項に記載のエアロゾル化された組成物又は方法。
【請求項１３】
前記エアロゾル化された組成物は、容器に保存される、請求項１〜１２のいずれか一項に記載のエアロゾル化された組成物又は方法。
【請求項１４】
前記容器は、前記容器中に貯蔵される材料の全充填量の１５重量％〜７０重量％の噴射剤を含む、請求項１３に記載のエアロゾル化された組成物又は方法。
【請求項１５】
前記揮発性溶剤は、前記エアロゾル化された組成物の１０重量％以上９９重量％未満を占める、請求項１〜１４のいずれか一項に記載のエアロゾル化された組成物又は方法。
【発明の詳細な説明】
【技術分野】
【０００１】
本開示は、一般に、環状オリゴ糖、芳香剤、及び揮発性溶剤を含む組成物、及びそれに関連する方法に関する。
【背景技術】
【０００２】
消費者は、製品の適用時及び／又は後に心地良い芳香剤を送達するパーソナルケア組成物をしばしば欲する。しかしながら、そのような製品の製造は多くの理由によりしばしば挑戦的である。例えば、多数の芳香剤は比較的高揮発性であり、したがって適用後急速に蒸発するために、芳香剤は、しばしば時期尚早な失われかたをする。周囲の領域の中に放出される芳香剤の量は一般にパーソナルケア組成物の適用後に減少するために，消費者は、潜在的に最小又はゼロの芳香剤の匂い特性を時後に感知する可能性がある。それゆえ、心地良い芳香剤を製品の適用時及び後に長時間送達することができる改善されたパーソナルケア組成物の必要性が存在する。
【発明の概要】
【課題を解決するための手段】
【０００３】
環状オリゴ糖、芳香剤、揮発性溶剤、及び噴射剤を含むエアゾール化された組成物であって、非揮発性溶剤を含まないエアゾール化された組成物。
【０００４】
改善された水分が引き金となる芳香剤放出システムを送達する方法は、好適な基材を環状オリゴ糖、芳香剤、揮発性溶剤、及び噴射剤を含むエアロゾル化された組成物と接触させることを含み、エアロゾル化された組成物が非揮発性溶剤を含まない。
【発明を実施するための形態】
【０００５】
本明細書は、本発明を詳細に示し、かつ、明確に特許請求する特許請求の範囲によって結論付けられるが、本発明は以下の記述によってより良好に理解されるものと考えられる。
【０００６】
本発明の装置、器具、方法、構成要素、及び／又は組成物は、本発明の構成要素並びに本明細書に記載したその他の成分を含むか、本発明の構成要素並びに本明細書に記載したその他の成分から実質的になるか又はなることができる。
【０００７】
特に指示のない限り、本明細書で使用される全てのパーセント及び比率は、全組成物の重量を基準とし、かつ全ての測定は２５℃にて行われる。
【０００８】
本明細書で使用される全ての測定値は、特に指定のない限り、メートル法である。
【０００９】
明細書内における「実施形態」などに対する言及は、その実施形態に関連して記載される特定の材料、特徴、構造、及び／又は特性が、少なくとも１つの実施形態に含まれることを意味するが、全ての実施形態に、記載される材料、特徴、構造、及び／又は特性が組み込まれることを意味するものではない。更に、材料、特徴、構造、及び／又は特性は、異なる実施形態にわたって任意の好適な方法で組み合わせてよく、材料、特徴、構造、及び／又は特性は、記載されているものから省略又は置換されてもよい。
【００１０】
「を含まない」は、言明された成分が組成物に添加されなかったということを意味する。しかし、言明された成分は、パーソナルクレンジング組成物の他の成分の副産物又は反応生成物として偶発的に形成される場合がある。
【００１１】
「非揮発性」は、外周条件下で液体であり、及び測定可能な蒸気圧を２５℃で有する材料を指す。これらの材料は、通常約１×１０−４ＭＰａ（約０．０１ｍｍＨｇ）未満の蒸気圧，及び通常約２５０℃超の平均沸点を有する。
【００１２】
「可溶性」は、２５℃及び０．１ＭＰａ（１気圧）において少なくとも約０．１ｇの溶質が１００ｍＬの溶媒に溶解することを意味する。
【００１３】
「実質的に含まない」とは、材料の量が組成物の１重量％、０．５重量％、０．２５重量％、０．１重量％、０．０５重量％、０．０１重量％、又は０．００１重量％未満であることを意味する。
【００１４】
環状オリゴ糖、及び特にシクロデキストリンは、非極性システムから水分が引き金となる芳香剤を送達する手段として使用されてきた。この関連で、芳香剤は、通常シクロデキストリン内にカプセル化され、水分がシステムの中に導入されると放出される。類似の水分が引き金となる芳香剤放出システムを極性の形で送達する挑戦の一つは、極性環境が、通常、システムそれ自身の中で芳香剤を放出し、及び長時間持続性の芳香剤を提供しないということである。
【００１５】
驚くべきことには、本開示で記述される極性及び水性の組成物中の非揮発性溶剤の量を限定することは、環状オリゴ糖によりもたらされる長時間持続性芳香剤のメリットを劇的に改善することがあるということが見出された。
【００１６】
環状オリゴ糖
本開示で述べられる組成物は環状オリゴ糖を含んでもよい。本明細書で使用するとき、用語環状オリゴ糖とは６個以上の糖単位を含む環状構造物を意味する。環状オリゴ糖は、６、７、若しくは８個の糖単位又はその混合物を有することができる。６，７及び８員の環状オリゴ糖をそれぞれα、β、及びγと呼ぶことが当業界では普通である。有用な環状オリゴ糖の非限定的な例としては、水、エタノール、又は水及びエタノールの両方に可溶性であるものが挙げられる。本開示で有用な環状オリゴ糖は、水、エタノールのいずれか，又は水及びエタノールの両方の中で２５℃及び０．１ＭＰａ（１ａｔｍ）の圧力で少なくとも約０．１ｇ／１００ｍＬの溶解性を有し得る。本開示で開示される組成物は、約０．００１％〜約４０％、約０．１重量％〜約２５重量％、約０．３重量％〜約２０重量％、約０．５重量％〜約１０重量％、又は約０．７５重量％〜約５重量％の環状オリゴ糖を含んでもよい。本開示で開示される組成物は、組成物の重量で０．００１％〜４０％、１％〜２５％、０．３％〜２０％、０．５％〜１０％、又は０．７５％〜５％の環状オリゴ糖を含んでもよい。
【００１７】
この環状オリゴ糖は、任意の好適な糖又は糖の混合物を含んでもよい。好適な糖類の例としては、限定ではないが、グルコース、フルクトース、マンノース、ガラクトース、マルトース、及びこれらの混合物が挙げられる。環状オリゴ糖、又は環状オリゴ糖の混合物は、任意の好適な置換基、又は置換基の混合物によって置換することができる。本明細書で、用語「置換基の混合物」の使用は、２つ以上の異なる好適な置換基が、１つの環状オリゴ糖上で置換され得ることを意味する。好適な糖類の例としては、アルキル基、ヒドロキシアルキル基、ジヒドロキシアルキル基、カルボキシアルキル基、アリール基、マルトシル基、アリル基、ベンジル基、アルカノイル基、及びその混合物が挙げられるが、それに限定されない。これらの置換基は、飽和若しくは不飽和、直鎖、又は分岐鎖であってもよい。例えば、置換基としては、飽和及び直鎖アルキル基、ヒドロキシアルキル基、及びこれらの混合物が挙げられてもよい。アルキル及びヒドロキシアルキル置換基は、また、例えば、Ｃ１〜Ｃ８アルキル又はヒドロキシアルキル基から、Ｃ１〜Ｃ６アルキル又はヒドロキシアルキル基からのアルキル及びヒドロキシアルキル置換基、及びＣ１〜Ｃ４のアルキル又はヒドロキシアルキル基からのアルキル及びヒドロキシアルキル置換基から選択されてもよい。アルキル及びヒドロキシアルキル置換基は、例えば、プロピル、エチル、メチル、及びヒドロキシプロピルであってもよい。
【００１８】
置換基それ自身に加えて、環状オリゴ糖は、少なくとも１．６の平均置換度を有してもよく、ここで用語「置換度」は糖単位当たりの置換基の平均数を意味する。例えば、環状オリゴ糖は、約２．８未満又は約１．７〜約２．０の平均置換度を有してもよい。置換基の平均数は、当業界で公知の通常の核磁気共鳴法を用いて決定されてもよい。本開示で有用な環状オリゴ糖の例としては、メチル−α−シクロデキストリン、メチル−β−シクロデキストリン、ヒドロキシプロピル−α−シクロデキストリン、ヒドロキシプロピル−β−シクロデキストリン、及びその混合物が挙げられる。
【００１９】
環状オリゴ糖は、芳香剤（例えば、シクロデキストリン−芳香剤錯体）を含んでもよい。芳香剤材料を含むシクロデキストリン粒子及びシクロデキストリン錯体は様々な方法により、形成されてもよい。例えば、溶剤（例えば、水）非装填のシクロデキストリン粒子、及び芳香剤材料を容器に入れ、次いでシクロデキストリン分子の「キャビティ」の中への芳香剤分子の装填を可能とさせる時間時間混合することができる。混合物を、例えばコロイドミル及び／又はホモゲナイザーにより更に処理してもよくしなくともよい。次いで、生成した混合物又はスラリーから溶剤を実質的に除去して、シクロデキストリン−芳香剤錯体粒子を得る。シクロデキストリン−芳香剤錯体のスラリー又は混合物のスプレー乾燥は、シクロデキストリン粒子及びシクロデキストリン錯体を製造することができるもう１つの製造法である。
【００２０】
揮発性溶剤
本開示に記載の組成物は、揮発性溶剤又は揮発性溶剤の混合物を含んでもよい。揮発性溶剤は、組成物の重量で、１０％以上、３０％超、４０％超、５０％超、６０％超、９０％超又は９９％超を占めてもよい。本開示で有用な揮発性溶剤は、比較的無臭であり、及び人間の皮膚での使用に安全であり得る。好適な揮発性溶剤はＣ１〜Ｃ４アルコール及びその混合物を含んでもよい。例えば、エタノールは揮発性溶剤として使用されてもよい。
揮発性溶剤のいくらかの他の非限定的な例としてはメタノール、プロパノール、イソプロパノール、ブタノール、及びその混合物が挙げられる。
【００２１】
非揮発性溶剤
組成物は非揮発性溶剤又は非揮発性溶剤の混合物を含んでもよい。非揮発性溶剤の非限定的な例としてはベンジルベンゾエート、ジエチルフタレート、イソプロピルミリステート、プロピレングリコール、ジプロピレングリコール、トリエチルシトレート、及びその混合物が挙げられる。存在する場合には、非揮発性溶剤は、１：１未満、１：２未満、１：１０未満、又は１：１００未満の非揮発性溶剤：環状オリゴ糖の重量比で含まれてもよい。非揮発性溶剤は、また、約１：１未満、約１：２未満、約１：１０未満、又は約１：１００未満の、しかし０超の非揮発性溶剤：環状オリゴ糖の重量比で含まれてもよい。組成物は、また、非揮発性溶剤を含まなくてもよい。
【００２２】
芳香剤
組成物は芳香剤を含んでもよい。本明細書で使用されるとき、「芳香剤」は任意の香気を放つ材料を示すのに使用される。化粧品として許容可能な任意の芳香剤が組成物中で使用されてもよい。例えば，芳香剤は室温で液体であるものであることがある。一般に、芳香剤は、約０．０１％〜約４０％、約０．０１重量％〜約２５重量％、約０．２５重量％〜約２０重量％、又は約０．５重量％〜約１５重量％の濃度で存在してもよい。
【００２３】
アルデヒド、ケトン、及びエステルを含む広範で多様な薬品が芳香剤として知られている。より一般的には、様々な化学成分の複雑な混合物を含む天然起源の植物油及び動物油並びに滲出物が、芳香剤としての使用で知られている。本開示で有用な芳香剤の非限定的な例としては、アセタールプロ芳香剤，ケタールプロ芳香剤，エステルプロ芳香剤，加水分解性無機−有機プロ芳香剤，及びその混合物などのプロ芳香剤が挙げられる。芳香剤はプロ芳香剤から多数の方法で放出されてもよい。例えば，芳香剤は、単純な加水分解の結果として、又は平衡反応のシフトにより、又はｐＨ変化により、又は酵素反応の放出により放出されてもよい。本明細書の芳香剤は、単一の化学物質を含む組成が比較的単純なものであってもよく、又は全て任意の所望の香りを提供するように選択される、天然及び合成の化学香料成分の高度に洗練された複雑な混合物を含むことが可能である。
【００２４】
芳香剤は、約５００℃以下、約４００℃以下、又は約３５０℃以下の沸点（ＢＰ）を有してもよい。多数の芳香剤のＢＰは、Ｐｅｒｆｕｍｅ  ａｎｄ  Ｆｌａｖｏｒ  Ｃｈｅｍｉｃａｌｓ（Ａｒｏｍａ  Ｃｈｅｍｉｃａｌｓ），Ｓｔｅｆｆｅｎ  Ａｒｃｔａｎｄｅｒ（１９６９）で開示されている。芳香剤のＣｌｏｇＰ値は、約０．１以上，約０．５以上、約１．０以上、及び約１．２以上であってもよい。本明細書で使用されるとき、「ＣｌｏｇＰ」は、オクタノール／水分配係数の１０を基底とする対数を意味する。ＣｌｏｇＰは、Ｄａｙｌｉｇｈｔ  Ｃｈｅｍｉｃａｌ  Ｉｎｆｏｒｍａｔｉｏｎ  Ｓｙｓｔｅｍｓ  Ｉｎｃ（ＩｒｖｉｎｅＣａｌｉｆ．，ＵＳＡ）から入手可能な「ＣＬＯＧＰ」と呼ばれるプログラムから容易に計算できる。オクタノール／水分配係数は米国特許第５，５７８，５６３号でより詳細に説明されている。
【００２５】
好適な芳香剤は、米国特許第４，１４５，１８４号、米国特許第４，２０９，４１７号、米国特許第４，５１５，７０５号、及び米国特許第４，１５２，２７２号にも開示されている。芳香剤の非限定的な例としては、ジャコウオイル、シベット、海狸香、りゅうぜん香などの動物芳香剤、ナツメグ抽出物、カルダモン抽出物、ジンジャー抽出物、シナモン抽出物、パチョリオイル、ゼラニウムオイル、オレンジオイル、マンダリンオイル、橙花抽出物、セダー油、ベチバー、ラバンディン、イラン抽出物、チュベローズ抽出物、ビャクダンオイル、ベルガモットオイル、ロ−ズマリオイル、スペアミントオイル、ペッパーミントオイル、レモンオイル、ラベンダーオイル、シトロネラオイル、カモミルオイル、丁子油、セージオイル、ネロリオイル、ラブダナムオイル、ユーカリ油、バーベナ油、ミモザ抽出物、スイセン抽出物、ニンジン種抽出物、ジャスミン抽出物、乳香抽出物、バラ抽出物などの植物芳香剤、及びその混合物が挙げられる。
【００２６】
好適な芳香剤の他の例としては、アセトフェノン、アドキサール、アルデヒドＣ−１２、アルデヒドＣ−１４、アルデヒドＣ−１８、アリルカプリレート、アムブロクサン、アミルアセテート、ジメチルインダン誘導体、α−アミルシンナミックアルデヒド、アネトール、アニスアルデヒド、ベンズアルデヒド、ベンジルアセテート、ベンジルアルコール及びエステル誘導体、ベンジルプロピオネート、ベンジルサリシレート、ボルネオール、ブチルアセテート、カンファー、カルビトール、シンナムアルデヒド、シンナミルアセテート、シンナミルアルコール、ｃｉｓ−３−ヘキサノール及びエステル誘導体、ｃｉｓ−３−ヘキセニルメチルカーボネート、シトラール、シトロネロール及びエステル誘導体、クミンアルデヒド、シクラメンアルデヒド、シクロガルバネート、ダマスコン、デカラクトン、デカノール、エストラゴール、ジヒドロミルセノール、ジメチルベンジルカルビノール、６，８−ジメチル−２−ノナノール、ジメチルベンジルカルビニルブチレート、エチルアセテート、エチルイソブチレート、エチルブチレート、エチルプロピオネート、エチルカプリレート、エチルシンナメート、エチルヘキサノエート、エチルバレレート、エチルバニリン、オイゲノール、エキサルトリド、フェンコン、エチル２−メチルブチレートなどのフルーティエステル、ガラクソリド、ゲラニオール及びエステル誘導体、ヘリオナール、２−ヘプトノン、ヘキセノール、α−ヘキシルシンナムアルデヒド、ヒドロキシシトロールネラール、インドール、イソアミルアセテート、イソオイゲノールアセテート、イオノン、イソオイゲノール、イソアミルイソ−バレレート、イソＥスーパー、リモネン、リナロール、リリアル、リナリルアセテート、リラル、マジャントール、マヨール、メロナール、メントール、ｐ−メチルアセトフェノン、メチルアントラニレート、メチルセドリロン、メチルジヒドロジャスモネート、メチルオイゲノール、メチルイオノン、メチル−α−ナフチルケトン、メチルフェニルカルビニルアセテート、ムゲタノール、γ−ノナラクトン、オクタナールｌ、フェニルエチルアセテート、フェニル−アセトアルデヒドジメチルアセテート、フェノキシエチルイソブチレート、フェニルエチルアルコール、ピネン、サンダローレ、サンタノール、ステモン、チモール、テルペン、トリプラル、トリエチルシトレート、３，３，５−トリメチルシクロヘキサノール、γ−ウンデカラクトン、ウンデセナ−ル、バニリン、ベルトン、ベルドックスなどの化学物質、及びその混合物が挙げられるが、それに限定されない。
【００２７】
水
本開示に記載の組成物は水を含んでもよい。存在する場合には、水は、組成物の約０．１重量％〜約４０重量％、約１重量％〜約３０重量％、又は、約５重量％〜約２０重量％を占めることもある。
【００２８】
噴射剤
本開示で記述される組成物は噴射剤を含んでもよい。噴射剤の非限定的な例としては、圧縮空気，窒素、不活性ガス、二酸化炭素、及びその混合物が挙げられる。噴射剤としては、また、プロパン、ｎ−ブタン、イソブテン、シクロプロパンのようなガス状炭化水素、１，１−ジフルオロエタンのようなハロゲン化炭化水素、及びその混合物が挙げられてもよい。噴射剤のいくつかの非限定的な例としては、１，１，１，２，２−ペンタフルオロエタン、１，１，１，２−テトラフルオロエタン、１，１，１，２，３，３，３−ヘプタフルオロプロパン、ｔｒａｎｓ−１，３，３，３−テトラフルオロプロペ−１−ン、ジメチルエーテル、ジクロロジフルオロメタン（噴射剤１２）、１，１−ジクロロ−１，１，２，２−テトラフルオロエタン（噴射剤１１４）、１−クロロ−１，１−ジフルオロ−２，２−トリフルオロエタン（噴射剤１１５）、１−クロロ−１，１−ジフルオロエチレン（噴射剤１４２Ｂ）、１，１−ジフルオロエタン（噴射剤１５２Ａ）、モノクロロジフルオロメタン、及びその混合物が挙げられる。使用に好適な一部の他の噴射剤としては、Ａ−４６（イソブタン、ブタン、及びプロパンの混合物）、Ａ−３１（イソブタン）、Ａ−１７（ｎ−ブタン）、Ａ−１０８（プロパン）、ＡＰ７０（プロパン、イソブタン、及びｎ−ブタンの混合物）、ＡＰ４０（プロパン、イソブテン、ｎ−ブタンの混合物）、ＡＰ３０（プロパン、イソブタン、及びｎ−ブタンの混合物）、及び１５２Ａ（１，１−ジフルオロエタン）が挙げられるが、これらに限定されない。噴射剤は、容器内に保存されている材料の全充填量の約１５重量％、２５重量％、３０重量％、３２重量％、３４重量％、３５重量％３６重量％、３８重量％、４０重量％、又は４２重量％〜約７０重量％、６５重量％、６０重量％、５４重量％、５２重量％、５０重量％、４８重量％、４６重量％、４４重量％、又は４２重量％の濃度を有してもよい。
【００２９】
他の成分
本明細書で開示される組成物は、また、組成物を美容技術的又は美学的により許容可能とせしめるか、又は組成物に追加の使用メリットを提供することがある、様々な他の成分を含有してもよい。これらの他の成分は当業者には周知されている。これらは、「ＣＴＦＡ  Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ及びＨａｎｄｂｏｏｋ，７ｔｈ  ｅｄｉｔｉｏｎ，ｅｄｉｔｅｄ  ｂｙ  Ｗｅｎｎｉｎｇｅｒ  ａｎｄ  ＭｃＥｗｅｎ，（Ｔｈｅ  Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ，Ｉｎｃ．，Ｗａｓｈｉｎｇｔｏｎ，Ｄ．Ｃ．，１９９７）」に見られるような、任意の化粧品として許容可能な成分を含む。本明細書で使用されるとき、「美容技術的に許容可能な」は、皮膚、毛髪、又は他の好適な基材との接触における使用に好適である、材料（例えば、化合物又は組成物）を意味する。例えば，組成物は、デナトニウムベンゾエートなどのアルコール変成剤、ベンゾフェノン−２などのＵＶ安定剤、トコフェリルアセテートなどの酸化防止剤、フェノキシエタノール、ベンジルアルコール、メチルパラベン、プロピルパラベンなどの保存剤、染料、乳酸、クエン酸、ナトリウムシトレート、コハク酸、リン酸、水酸化ナトリウム、炭酸ナトリウムなどのｐＨ調整剤、脱臭剤及びファルネゾル及び亜鉛フェノールスルホネートなどの殺菌剤、グリセリンなどの保湿剤、アラントインなどのスキンコンディショニング剤、トリメチルイソプロピルブタンアミド及びメントールなどの清涼化剤、パンテノール，パンテチン，パントテイン，パンテニルエチルエーテエル，及びその組み合わせなどのヘアコンディショニング剤、シリコーン、カリウムアセテート及び塩化ナトリウムなどの一般的な塩、及びその混合物を含んでもよい。存在する場合には、これらの追加の成分は、重量で全組成物の１０％未満の量で存在してもよい。
【００３０】
制汗活性物質
本明細書に記載の組成物は、制汗活性物質（すなわち、制汗活性を有する任意の物質、混合物、又は他の材料）を含まないか、実質的に含まなくともよく、又は含んでもよい。
好適な制汗活性物質の例としては、アルミニウム、ジルコニウム、及び亜鉛、並びにこれらの混合物の無機及び有機塩のような収斂性金属塩が挙げられる。そのような制汗活性物質としては、例えば、アルミニウムハライド、アルミニウムヒドロキシハライド，ジルコニルオキシハライド、ジルコニルヒドロキシハライド、及びその混合物などのアルミニウム及びジルコニウム塩が挙げられる。
【００３１】
製造物品
組成物は、スプレーディスペンサーを含む容器の中に含まれていてもよい。容器は、分注される組成物を含む容器を更に含んでもよい。容器は、エアロゾル化された組成物（すなわち、噴射剤を含む組成物）を容器内に含んでもよい。スプレーディスペンサーの他の非限定的な例としては、非エアロゾルディスペンサー（例えば、蒸気スプレー）、手動ディスペンサー、ポンプスプレーディスペンサー、又は当業界で入手可能な任意の他の好適なスプレーディスペンサーが挙げられる。
【００３２】
使用方法
本明細書に記載の組成物は、当業界で既知の任意の容器により、又は組成物を基材に送達するのに好適な任意のスプレーディスペンサーによりパッケージされてもよい。組成物は、芳香剤の放出の引き金を引くのに水分が使用可能な任意の物質に適用されてもよい。
組成物を人体に適用するとき、組成物は、皮膚の任意の領域に適用されてもよく、身体の任意の領域に適用されてもよい。あるいは、組成物は、布地などの任意の物品、又は限定ではないが、女性用衛生物品、おむつ、及び成人用失禁物品を含む任意の吸収性物品に適用されてもよい。例えば、組成物は、ボディスプレー、女性用スプレー、成人用失禁スプレー、ベビースプレー、又は他のスプレーとして使用されてもよい。
【００３３】
ヘッドスペース試験法
８センチメートル×１３センチメートル（３インチ×５インチ）の厚紙、プロ用エアロゾル試験ブロッターカード（Ｏｒｌａｎｄｉ  Ｉｎｃ．から入手可能）を試験対象の各試料に対して作製する。各ブロッターカードを分析天秤により予め秤量する。各試料をブロッターカード上に均等にスプレーする。Ｓｅａｑｕｉｓｔ  Ｐｅｒｆｅｃｔ  Ｄｉｓｐｅｎｓｉｎｇからの０．０９リットル（３オンス）スプレーアクチュエーターをはめた０．０９リットル（３オンス）のプラスチック瓶（Ｍａｔｒｉｘ  Ｐａｃｋａｇｉｎｇ）を用いて、これを行うことができる。試料をスプレーした後ブロッターカードを秤量して、おおよそ０．０５０グラム±０．００２５の試料がブロッターカード上にスプレーされたことを確認しなければならない。ブロッターカードが目視評価時に適用領域間で均等に濡れていないか、又はスプレーされた試料の量がおおよそ０．０５０グラム±０．００２５でない場合には、ブロッターカードを廃棄して、この工程を繰り返さなければならない。
【００３４】
全ての試料を作製したならば、ブロッターカードを適用面を上にしてペーパータオル上に置かなければならない。ブロッターカードを室温で約４時間乾燥させなければならない。乾燥後、上述のスプレーアクチュエーターをはめた類似のプラスチック瓶を用いて、各試料にブロッターカードの適用領域にわたって直接に蒸溜水を１度スプレーする。スプレー直後，試料を含むブロッターカードを、異なる０．２リットル（７オンス）の蓋を含む透明なポリエチレンテレフタレートカップの中に入れる。これは、ブロッターカードをロールにしてブロッターカードの長軸を横切って円筒の中に入れ、及び適用面がカップの中心に面するようにブロッターカードを配置することにより行うことができる。入れたならば、ポリエチレンテレフタレートカップへの蓋を閉じなければならず、試料はすぐ分析に対応できる。
【００３５】
次に、Ｅｌｅｃｔｒｏｎｉｃ  Ｓｅｎｓｏｒ  Ｔｅｃｈｎｏｌｏｇｙ，Ｉｎｃ．，からのＤＢ−６２４カラム付きのｚＮｏｓｅ  Ｆａｓｔ−ＧＣアナライザー（Ｍｏｄｅｌ  ＃ＭＥＡ００７１００）（本明細書では「ｚＮｏｓｅ」と呼ぶ）又は同等物を分析用に準備する。試料を走らせる前に、ｚＮｏｓｅをクリーニングし、較正すべきである。ｚＮｏｓｅをクリーニングし、較正するために、最初に、ｚＮｏｓｅのスイッチを入れ、ヘリウムバルブを開き、及びプログラムグラム，ＭｉｃｒｏＳｅｎｓｅ  ４．５を開く。装置の全てのパーツを適切な温度に達せさせるが、これはほぼ１５分かかる。
【００３６】
ｚＮｏｓｅ中のヘリウムが低い［低い場合には、ヘリウムタンクをｚＮｏｓｅ（「ヘリウム」と標識されている）の背面にホースにより接続し，ヘリウムタンク上のバルブを開き，及びｚＮｏｓｅ圧力ゲージが約７ＭＰａ（約１０００ｐｓｉ）に達するまで、充填する。一杯になったなら、ヘリウムタンク上のバルブを閉じ、ホースから圧力を放出し、及びｚＮｏｓｅからホースを取り出す。
【００３７】
ｚＮｏｓｅの入口及びニードルをクリーニングするために、バイアルの半分をメタノールで満たし、及びバブラーの先端がメタノール中に充分に沈むように、バブラーを挿入する。バイアルをサンプラーニードル上に置く。コントロールパネルで９０秒を打ち込み、「ポンプ」を選択して、メタノールをバブリングする。次に、「Ｆｉｒｅ  Ｔｒａｐ」をコントロールパネル中で２回ヒットする。カラム温度を試験設定中で１５秒間１９０℃まで上げる。完了したならば、カラム温度を下げ、４０℃まで戻す。モニターツール上の適当なボタンをクリックすることにより、センサを１度戻す。高温ブランクを運転し、センサ温度を１００℃まで上げ、及びこのファイルを保存する。ブランクは、サンプリングを行う同一の容器の空のヘッドスペースであるべきである。センサ温度を４０℃まで下げることにより、低温ブランクを運転する。大きなピークが残る場合には、クリーニング手順を上述のように繰り返す。大きなピークがクリーニング後残る場合には、ｚＮｏｓｅの添付マニュアル中のメンテナンンス及び修理セクションを参照する。ピークが３００カウント未満であり、高ＫＩである場合には，汚染ピークをタグ付けし、計算において考慮してもよい。
【００３８】
ｚＮｏｓｅは、全てのピークがメーカーの使用説明書により１００カウント以下である場合には、クリーンであり、正常動作している。「試験設定」が、センサ（５０℃）、カラム（４０℃）、バルブ（１４５℃）、入口（２００℃）、トラップ（２００℃）、ポンプ時間（１０秒）に従って設定されているということを確認する。試験設定を設定したならば、ｚＮｏｓｅをｚＮｏｓｅの添付のマニュアルに述べられているようにｎ−アルカン標準により較正する。これによりｚＮｏｓｅがメーカーの標準に従って動作していることが確認される。
【００３９】
ｚＮｏｓｅがクリーンで、較正されていれば、新しいアラームファイルを作成する。新しいアラームファイルはタグ付きのピークを含んではならない。試料をランダムに分析しなければならない。１ｓｔ試料をメーカーの使用説明書に従って分析する。各試料を分析した後、メタノールを５秒間バブリングすることにより、クリーニングステップを行うべきである。次に、ブランクを分析して、ピークが残っていないことを確認すべきである。
ピークが残っていないならば、１ｓｔ試料を２回目に分析する。バブリングメタノールと共に５秒間クリーニングステップを行い、続いて、ブランクを分析して、ピークが残っていないことを確認する。ピークが残っていないならば、１ｓｔ試料を３回目に分析する。
バブリングメタノールと共に５秒間クリーニングステップを行い、続いて、ブランクを分析して、ピークが残っていないことを確認する。各試料に対して上記のステップを繰り返す。全ての試験を最初の試料の分析から１時間以内及び試料のブロッターカードへの適用後４〜５時間以内に行わなければならない。
【００４０】
全ての試料が分析されたならば、データをＭｉｃｒｏｓｏｆｔ（登録商標）Ｅｘｃｅｌ（登録商標）又は同等物に転送し、各試料に伴う全てのピーク下の全面積の和を求める。
各試料に対して、試料当たり３ランの各々を表す「全ピーク面積」が存在しなければならない。平均標準偏差、及びパーセント相対標準偏差（すなわち、％ＲＳＤ）を各試料に対して計算する。中間標準偏差、及び％ＲＳＤは、ｎ＝３の試料サイズ基準で各試料に対して入手可能であるべきである。
【００４１】
芳香剤専門家パネル
次の標準化された手順を用いて、制御された環境条件下で訓練されたパネルにより評価を行った。ほぼ１０〜２０人の専門家パネリストが各評価に参加した。Ｓｅａｑｕｉｓｔ
Ｐｅｒｆｅｃｔ  Ｄｉｓｐｅｎｓｉｎｇからの０．０９リットル（３オンス）スプレーアクチュエーターをはめた０．０９リットル（３オンス）のプラスチック瓶（Ｍａｔｒｉｘ  Ｐａｃｋａｇｉｎｇ）を用いて、組成物をスプレーした。組成物を振盪し、次いでパネリストの前腕上に手首の下ほぼ５〜１５センチメートル（ほぼ２〜６インチ）好ましくは最少のヘアの付いた領域に２秒間スプレーした。アクチュエーターを前腕から約１５センチメートル（約６インチ）離して保持した。この方法を他の前腕で繰り返した。各パネリストは、芳香剤の強度を、組成物の適用前（ベースライン）、及び組成物のスプレー後１５分、３０分、及び６０分で増大する強度（例えば、１の評点は最低の強度であり、及び８の評点は最高の強度である）で１〜８で評点付けした。組成物のスプレー後４５分、９０分，及び１８０分の時点で，Ｓｅａｑｕｉｓｔ  Ｐｅｒｆｅｃｔ  Ｄｉｓｐｅｎｓｉｎｇからの０．０９リットル（３オンス）スプレーアクチュエーターをはめた０．０９リットル（３オンス）のプラスチック瓶（Ｍａｔｒｉｘ  Ｐａｃｋａｇｉｎｇ）を用いて、前腕に１スプリッツの水をスプレーし、及びパネリストは水スプレー前後の強度を評点付けした。評点を記録し、及び引き続いてＷｉｌｃｏｘｏｎ方法により解析した。
【００４２】
芳香剤非訓練パネル
次の標準化された手順を用いて、評価を制御された環境条件下で非訓練パネルにより行った。ほぼ５人の非訓練パネリストが各評価に参加した。Ｓｅａｑｕｉｓｔ  Ｐｅｒｆｅｃｔ  Ｄｉｓｐｅｎｓｉｎｇからの０．０９リットル（３オンス）スプレーアクチュエーターをはめた０．０９リットル（３オンス）のプラスチック瓶（Ｍａｔｒｉｘ  Ｐａｃｋａｇｉｎｇ）を用いて、８センチメートル×１３センチメートル（３インチ×５インチ）の厚紙、プロ用エアロゾル試験ブロッターカード（Ｏｒｌａｎｄｉ  Ｉｎｃ．から入手可能）上に組成物をスプレーした。０．０５０ｇ±０．００２５の量の組成物を各ブロッターカードに適用した。各ブロッターカードに適用した量は分析天秤を用いて確認できる。
組成物のスプレーに続いて、ブロッターカードを２４時間乾燥させた。乾燥後、Ｓｅａｑｕｉｓｔ  Ｐｅｒｆｅｃｔ  Ｄｉｓｐｅｎｓｉｎｇからの０．０９リットル（３オンス）スプレーアクチュエーターをはめた０．０９リットル（３オンス）のプラスチック瓶（Ｍａｔｒｉｘ  Ｐａｃｋａｇｉｎｇ）を用いて、ブロッターカードにほぼ０．０２５ｇの水をスプレーし、及び評価のために０．２リットル（７オンスの透明）ポリエチレンテレフタレートカップの中に入れた。パネリストは、芳香剤の強度を１〜７で増大する強度の順（例えば、１の評点は最低の強度であり、及び８の評点は最高の強度である）で評点付けするように説明を受けた。評点を記録し、及び引き続いてＷｉｌｃｏｘｏｎ方法により解析した。
【実施例】
【００４３】
本発明の多くの変形が可能であるので、以下の実施例は例示目的のみのために与えられ、本発明の限定として解釈されるべきでない。
【００４４】
表１は、シクロデキストリン−芳香剤錯体からヘッドスペースの中への芳香剤の放出に及ぼす非揮発性溶剤の効果を下記に示す。本明細書に開示のヘッドスペース試験方法を用いて、表１に示す組成物に対する全面積カウントを測定した。実施例は、組成物の重量で０．２５％の代表的な芳香剤、組成物の重量で１％のメチル化−β−シクロデキストリン（表１中「ｍβＣＤ」として示される）、及び表示されたパーセントの非揮発性溶剤、ジプロピレングリコール又はトリエチルシトレートを含有するものであった。配合の残りをエタノールで１００％にバランスさせた。配合物を混合して均質性を確保した。
【００４５】
【表１】
2018029970.tif 000002
＊  ｚＮｏｓｅヘッドスペース全ピークは非揮発性溶剤、ジプロピレングリコール及びトリエチルシトレートによる寄与を除外する。
【００４６】
表１からの実施例Ｂ及び実施例Ｃを実施例Ａと比較すると、ジプロピレングリコール又はトリエチルシトレートのいずれかの添加は、ヘッドスペースの中へ放出される芳香剤の量をそれぞれほぼ２１％及び３３％減少させた。組成物中のメチル化−β−シクロデキストリンに対するジプロピレングリコール又はトリエチルシトレートのいずれかの濃度を増加させることは、ヘッドスペースの中に放出される芳香剤の量を添加量に依存して更に減少させた。例えば、実施例Ｄを実施例Ｂに比較すると、メチル化−β−シクロデキストリンに対するジプロピレングリコールの濃度を増加させることは、ヘッドスペースの中に放出される芳香剤の量を実施例Ｂに対する１５９５１４のカウントから実施例Ｃに対する７０８２１のカウントへと減少させた。表１からの実施例Ｈを実施例Ａと比較すると、ジプロピレングリコールを組成物中でジプロピレングリコール：メチル化−β−シクロデキストリンの１：１の比で含めることは、ヘッドスペースの中に放出される芳香剤の量をほぼ９５％減少させた。ジプロピレングリコールの代わりにトリエチルシトレートを組成物中に含めると類似の傾向が観察された。これらのデータは、非揮発性溶剤の組み込みが、メチル化−β−シクロデキストリンを含む組成物からの芳香剤の放出を抑制することができるということを示唆する。これらのデータは、ヘッドスペースの中への芳香剤の放出の最大化に鑑みると非揮発性溶剤：メチル化−β−シクロデキストリンの比がそのような組成物を配合するのに重要な考慮であるということを更に示唆する。
【００４７】
下記の表２は、本明細書に記載の芳香剤非訓練パネルにより求められるヘッドスペースの中への芳香剤の放出に及ぼす非揮発性溶剤の影響を示す。実施例１は、芳香剤自身内の痕跡量のジプロピレングリコールによる非揮発性溶剤：メチル化−β−シクロデキストリンの比を含むものであった。メチル化−β−シクロデキストリンに対して最少量の非揮発性溶剤を含む実施例１は、芳香剤非訓練パネルによる得点７．０の最高の平均ランキングを獲得した。実施例２を実施例１と比較すると、メチル化−β−シクロデキストリンに対する非揮発性溶剤のジプロピレングリコールの濃度を１：４の比まで増加させることは、６．０の平均ランキング、実施例１に帰属されるものよりも統計的に有意に低いランキングをもたらした。実施例３を実施例１と比較すると、メチル化−β−シクロデキストリンに対する非揮発性溶剤のトリエチルシトレートの濃度を１：５の比まで増加させることは、３．８の平均ランキング、実施例１に帰属されるものよりも統計的に有意に低いランキングをもたらした。
【００４８】
【表２】
2018029970.tif 000003
【００４９】
実施例４及び実施例６を実施例２と比較すると、メチル化−β−シクロデキストリンに対する非揮発性溶剤のジプロピレングリコールの濃度を１：１（実施例４）又は２：１（実施例６）の比まで更に増加させることは、それぞれ３．６及び２．６，の平均ランキング、実施例２に帰属されるものよりも統計的に有意に低いランキングをもたらした。実施例４及び実施例３、実施例５及び実施例３、実施例６及び実施例３、又は実施例７及び実施例３の間に有意な差異は観察されなかった。これらのデータは、そのような組成物中に非揮発性溶剤を含むことが、芳香剤の放出を抑制する可能性があるということ及び非揮発性溶剤：メチル化−β−シクロデキストリンの比が、ヘッドスペースの中への芳香剤の放出を最大化することに鑑みてそのような組成物の配合に重要な考慮であるというヘッドスペース試験方法から得られる発見を裏付ける。
【００５０】
下記の表３は、本明細書に記載の芳香剤専門家パネルにより測定された、ヘッドスペースの中への芳香剤の放出に及ぼすエアロゾル化された組成物中の非揮発性溶剤の効果を示す。表３は、パネリストの平均評点けを示し、そこでは実施例８、９、及び１０のスプレー後１８０分の水のスプレー前後の被験者の前腕の評点を付けが行なわれた。実施例８は、非揮発性溶剤、ジプロピレングリコール及びイソプロピルミリステートを含むが、メチル化−β−シクロデキストリンを含まなかった。実施例９は、メチル化−β−シクロデキストリン及び非揮発性溶剤、ジプロピレングリコール及びイソプロピルミリステートを含むものであった。実施例１０は、メチル化−β−シクロデキストリンを含むが、非揮発性溶剤、ジプロピレングリコール及びイソプロピルミリステートを含まなかった。
【００５１】
【表３】
2018029970.tif 000004
【００５２】
実施例８を実施例９と比較すると、実施例９の組成物へのメチル化−β−シクロデキストリンの添加は、評点付けを水の適用の前に行うと平均得点の増加にも拘わらず平均ランキングの統計的に有意な増加を生じなかった。対照的に、水の適用後は、実施例９は、実施例８と比較して評点の統計的に有意な増加を生じた（４．５対４）。実施例９を１０と比較すると、実施例１０におけるように非揮発性溶剤の除外は、評点付けを水の適用の前に行うと実施例９と比較してパネリストによるランキングの統計的に有意な増加を生じなかった。驚くべきことには、実施例１０におけるように非揮発性溶剤の除外は、評点付けを水の適用の後に行うと実施例９と比較してよるランキングの統計的に有意な増加を生じた（４．９対４．５）。これらのデータは、そのような組成物中への非揮発性溶剤の組み込みが芳香剤の放出を抑制することができるというヘッドスペース試験方法及び芳香剤非訓練パネルから得られる発見を裏付ける。
【００５３】
下記の表４はエアロゾル化された組成物の別の実施例を示す。実施例１１は、１，１−ジフルオロエタン、メチル化−β−シクロデキストリン、変性アルコール、水、及び芳香剤を含む。
【００５４】
【表４】
2018029970.tif 000005
【００５５】
本明細書の全体を通じて与えられる全ての最大数値限定は、それよりも小さい数値限定を、そうしたより小さい数値限定があたかも本明細書に明確に記載されているものと同様にして包含するものと理解すべきである。本明細書全体を通して記載される全ての最小数値限定は、このようなより高い数値限定が本明細書に明示的に記載されているかのように、全てのより高い数値限定を含む。本明細書全体を通して記載される全ての数値範囲は、このようなより狭い数値範囲が本明細書に明示的に記載されているかのように、このようなより広い数値範囲内の全てのより狭い数値範囲を含む。
【００５６】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば、「４０ｍｍ」として開示される寸法は、「約４０ｍｍ」を意味することを意図する。
【００５７】
相互参照されるか又は関連する全ての特許又は特許出願、及び本出願に添付される出願データシートに特定されている任意の特許又は特許出願又は特許を含む、本願に引用される全ての文書を、特に除外すること又は限定することを明言しない限りにおいて、その全容にわたって本願に援用するものである。いずれの文献の引用も、こうした文献が本明細書で開示又は特許請求される全ての発明に対する先行技術であることを容認するものではなく、あるいは、こうした文献が、単独で、又は他の全ての参照文献との任意の組み合わせにおいて、こうした発明のいずれかを教示、示唆又は開示していることを容認するものでもない。更に、本文書内の用語のいずれかの意味又は定義が、参照によって援用される文書内の同じ用語のいずれかの意味又は定義と矛盾する場合、本文書においてその用語に付与される意味又は定義が優先するものとする。
【００５８】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
エアロゾル化された組成物であって、
ｉ）環状オリゴ糖、
ｉｉ）芳香剤、
ｉｉｉ）揮発性溶剤、
ｉｖ）噴射剤、及び
ｖ）ベンジルベンゾエート、ジエチルフタレート、トリエチルシトレート、プロピレングリコール、イソプロピルミリステート、ジプロピレングリコール、及びこれらの混合物からなる群から選択される非揮発性溶剤を含み、
前記環状オリゴ糖に対する前記非揮発性溶剤の重量比は、０超、１：１０未満である、エアロゾル化された組成物。
【請求項２】
水分起因性（moisture-triggerd）が改善された芳香剤放出システムを送達する方法であって、
好適な基材と、
ｉ）環状オリゴ糖、
ｉｉ）芳香剤、
ｉｉｉ）揮発性溶剤、
ｉｖ）噴射剤、及び
ｖ）ベンジルベンゾエート、ジエチルフタレート、トリエチルシトレート、プロピレングリコール、イソプロピルミリステート、ジプロピレングリコール、及びこれらの混合物からなる群から選択される非揮発性溶剤を含む、エアロゾル化された組成物とを接触させることを含み、
前記環状オリゴ糖に対する前記非揮発性溶剤の重量比は、０超、１：１０未満である、方法。
【請求項３】
前記環状オリゴ糖は、前記エアロゾル化された組成物の０．７５重量％〜５重量％を占める、請求項１に記載のエアロゾル化された組成物。
【請求項４】
前記環状オリゴ糖は、６、７、又は８つの糖単位を含む、請求項１または３に記載のエアロゾル化された組成物。
【請求項５】
前記環状オリゴ糖は、ヒドロキシプロピル−α−シクロデキストリン、ヒドロキシルプロピル−β−シクロデキストリン、メチル−α−シクロデキストリン、メチル−β−シクロデキストリン、及びこれらの混合物からなる群から選択される、請求項１、３または４に記載のエアロゾル化された組成物。
【請求項６】
前記エアロゾル化された組成物は、抗菌剤を更に含む、請求項１および３〜５のいずれか一項に記載のエアロゾル化された組成物。
【請求項７】
前記揮発性溶剤は、エタノールを含む、請求項１および３〜６のいずれか一項に記載のエアロゾル化された組成物。
【請求項８】
前記エアロゾル化された組成物は、水を更に含む、請求項１および３〜７のいずれか一項に記載のエアロゾル化された組成物。
【請求項９】
前記エアロゾル化された組成物は、制汗活性物質を含まない、請求項１および３〜８のいずれか一項に記載のエアロゾル化された組成物。
【請求項１０】
前記エアロゾル化された組成物は、容器に保存される、請求項１および３〜９のいずれか一項に記載のエアロゾル化された組成物。
【請求項１１】
前記容器は、前記容器中に貯蔵される材料の全充填量の１５重量％〜７０重量％の噴射剤を含む、請求項１０に記載のエアロゾル化された組成物。
【請求項１２】
前記揮発性溶剤は、前記エアロゾル化された組成物の１０重量％以上９９重量％未満を占める、請求項１および３〜１１のいずれか一項に記載のエアロゾル化された組成物。
【請求項１３】
前記環状オリゴ糖は、前記エアロゾル化された組成物の０．７５重量％〜５重量％を占める、請求項２に記載の方法。
【請求項１４】
前記環状オリゴ糖は、６、７、又は８つの糖単位を含む、請求項２のまたは１３に記載の方法。
【請求項１５】
前記環状オリゴ糖は、ヒドロキシプロピル−α−シクロデキストリン、ヒドロキシルプロピル−β−シクロデキストリン、メチル−α−シクロデキストリン、メチル−β−シクロデキストリン、及びこれらの混合物からなる群から選択される、請求項２、１３または１４に記載の方法。
【請求項１６】
前記エアロゾル化された組成物は、抗菌剤を更に含む、請求項２および１３〜１５のいずれか一項に記載の方法。
【請求項１７】
前記揮発性溶剤は、エタノールを含む、請求項２および１３〜１６のいずれか一項に記載の方法。
【請求項１８】
前記エアロゾル化された組成物は、水を更に含む、請求項２および１３〜１７のいずれか一項に記載の方法。
【請求項１９】
前記エアロゾル化された組成物は、制汗活性物質を含まない、請求項２および１３〜１８のいずれか一項に記載の方法。
【請求項２０】
前記エアロゾル化された組成物は、容器に保存される、請求項２および１３〜１９のいずれか一項に記載の方法。
【請求項２１】
前記容器は、前記容器中に貯蔵される材料の全充填量の１５重量％〜７０重量％の噴射剤を含む、請求項２０に記載の方法。
【請求項２２】
前記揮発性溶剤は、前記エアロゾル化された組成物の１０重量％以上９９重量％未満を占める、請求項２および１３〜２１のいずれか一項に記載の方法。
【外国語明細書】
2018029970000001.pdf